(57)【要約】【課題】介護する介護士等が扱い易く、しかも被介護者あるいは患者にとって着心地のよい介護着を提供する。【解決手段】前身頃１１と後身頃１２とから構成し、前身頃１１と後身頃１２とが両側の袖の下側から胴の左右両側部を通って足の先まで分かれ、分かれた部分に沿って連続する第１のファスナ３１、３２が取付けられ、前身頃１１の首の中央部から腹部にかけて切込まれ、切込まれた部分３５に沿って第２のファスナ３６が取付けられ、また、前身頃１１と後身頃１２とが足の内側の左側の足の先から右側の足の先まで分かれ、分かれた部分に沿って第３のファスナ３８が取付けられ、しかも、第１のファスナ３１、３２および第２のファスナ３６が、上方に引くと開きかつ下方に押すと閉じるように構成されている。【選択図】図１
0003183558.tif 000002
【実用新案登録請求の範囲】
【請求項１】
前身頃と後身頃とが左右両側の袖の下側から胴の左右両側部を経て足の先まで分かれ、該分かれた部分に沿って連続する第１のファスナが取付けられ、
前記前身頃が首の中央部から腹部にかけて切込まれ、該切込まれた部分に沿って第２のファスナが取付けられ、
前記前身頃と前記後身頃とが足の内側の左側の足の先から右側の足の先まで分かれ、該分かれた部分に沿って連続する第３のファスナが取付けられ、
前記第１のファスナと前記第２のファスナとのそれぞれが、これらのファスナのスライダを上方に引くと開きかつ下方に押すと閉じるように構成されていることを特徴とする介護着。
【請求項２】
左右両側の袖のそれぞれの前側の部分、胴の前側の部分および左右両側の足のそれぞれの前側の部分がそれぞれ連設されている前記前身頃と、前記左右両側の袖のそれぞれの後側の部分、前記胴の後側の部分および前記左右両側の足のそれぞれの後側の部分がそれぞれ連設されている前記後身頃とが、互いに分離可能に構成され、
前記前身頃の左側の袖の袖口の下側端から前記前身頃の胴の左側端を通って前記前身頃の左側の足の足口の左側端に至るまでの第１の縁部分と、前記後身頃の左側の袖の袖口の下側端から前記後身頃の胴の左側端を通って前記後身頃の左側の足の足口の左側端に至るまでの第２の縁部分とが、前記第１のファスナのうちの第１の左側ファスナによって、互いに分離可能に結合され、
前記前身頃の右側の袖の袖口の下側端から前記前身頃の胴の右側端を通って前記前身頃の右側の足の足口の右側端に至るまでの第３の縁部分と、前記後身頃の右側の袖の袖口の下側端から前記後身頃の胴の右側端を通って前記後身頃の右側の足の足口の右側端に至るまでの第４の縁部分とが、前記第１のファスナのうちの第１の右側ファスナによって、互いに分離可能に結合され、
前記前身頃の首の部分の中央部の上端から腹部にかけて下方に向かって切り込まれることによって、前記首の部分の上端に連なっている切り込みが前記前身頃に設けられ、
前記切り込みの左側の縁部と前記切り込みの右側の縁部とが、前記第２のファスナによって、互いに分離可能に結合され、
前記前身頃の左側の足の足口の内側の縁部から左側の足の内側の縁部および右側の足の内側の縁部をそれぞれ通って前記前身頃の右側の足の足口の内側の縁部に至るまでの第５の縁部分と、前記後身頃の左側の足の足口の内側の縁部から左側の足の内側の縁部および右側の足の内側の縁部をそれぞれ通って前記後身頃の右側の足の足口の内側の縁部に至るまでの第６の縁部分とが、前記第３のファスナによって、互いに分離可能に結合され、
前記前身頃の左側の袖の上側の縁部における前記首の部分から左側の袖の袖口の先端までの第７の縁部分と、前記後身頃の左側の袖の上側の縁部における前記首の部分から左側の袖の袖口の先端までの第８の縁部分とが、第４のファスナのうちの第４の左側ファスナによって、互いに分離可能に結合され、
前記前身頃の右側の袖の上側の縁部における前記首の部分から右側の袖の袖口の先端までの第９の縁部分と、前記後身頃の右側の袖の上側の縁部における前記首の部分から右側の袖の袖口の先端までの第１０の縁部分とが、前記第４のファスナのうちの第４の右側ファスナによって、互いに分離可能に結合され、
前記第１の左側ファスナ、前記第１の右側ファスナ、前記第３のファスナ、前記第４の左側ファスナおよび前記第４の右側ファスナのいずれもが開かれたときに、前記後身頃に対して前記前身頃を分離可能な状態になし得るように構成されていることを特徴とする請求項１に記載の介護着。
【請求項３】
前記第１のファスナ、前記第２のファスナ、前記第３のファスナおよび前記第４のファスナのそれぞれのスライダにリング状の取手が取付けられていることを特徴とする請求項２に記載の介護着。
【請求項４】
袖および足の長さが手首および足首までそれぞれ延びており、手首および足首の部分にそれぞれボタンが取付けられていることを特徴とする請求項１、２または３に記載の介護着。
【請求項５】
前記第２のファスナが取付けられている前記切込みの側方にアクセスホールが設けられるとともに、該アクセスホールの下側にポケットが設けられていることを特徴とする請求項１〜４のうちの何れか１つに記載の介護着。
【請求項６】
前記前身頃おおび前記後身頃のそれぞれの内側にコットン製の裏地が縫付けられていることを特徴とする請求項１〜５のうちの何れか１つに記載の介護着。
【請求項７】
前記裏地がパイルまたはメッシュであることを特徴とする請求項６に記載の介護着。
【考案の詳細な説明】
【技術分野】
【０００１】
本考案は、介護着に係り、とくに、被介護者や患者のみならず、介護をする人にも便利で使い易い介護着に関する。
【背景技術】
【０００２】
被介護者や患者等が着用する介護着として、通常のパジャマを用いた場合には、被介護者や患者あるいは介護をする介護士にとって、必ずしも便利なものではない。そこで、介護着として、ファスナを襟元から胸まで取付けた介護着等が提案されている。
【０００３】
しかし、従来のこのようなファスナ付きの介護着は、介護士が被介護者の着替えを行なう際に、その着脱が難しく、また、その他の従来の介護着の場合には、サイズが小さいことが多い。さらに、オムツをすると、股上の部分が窮屈になる問題がある。その他、色や柄が地味で、生地が厚手のものが多く、吸着性に乏しい問題がある。また、ファスナの部分が壊れ易いことや、袖の長さが短くて七部袖しかないものが多い。また、各種のチューブやケーブルが通る穴が介護着にないために、袖口や首の部分を通してチューブやケーブルを引出さなければならず、点滴針、バルーンカテーテル、ＩＶＨカテーテル、ＨＲモニタ等を使用する際に不便である。
【０００４】
実用新案登録第３０７１６２１号公報には、上着の胴廻に対してズボンの胴廻を凡そ一割程度大きくなるようにして別々に作成したものを、胴廻り箇所でズボン側へ適宜ギャザーを形成しながら腹部の横方向へ凡そ３０〜４０ｃｍ程度の開放部を形成するようにしてつなぎ合せ、上記開放部は適当数の端止めスナップで開閉が行われるようなし、一方、該腹部のズボン側は股上中央から左右方向へ１０〜１５ｃｍ程度離れた箇所から左右脚足方向へ前身頃生地を２分するファスナを取付け、他方、上着は胸元から腹部中心に向かって前身頃生地を２分するオープンファスナを取付け、とくに、寝たきりの人や胃瘻患者のような身体の動きが困難な人に対し、便利な介護着が提案されている。
【先行技術文献】
【特許文献】
【０００５】
【特許文献１】実用新案登録第３０７１６２１号公報
【考案の概要】
【考案が解決しようとする課題】
【０００６】
上記実用新案登録第３０７１６２１号公報に開示されている介護着は、従来の介護着の問題点を総て解決するものではなく、被介護者や患者や介護士にとって使い勝手に優れた介護着とは必ずしも言えない。これは、この介護着が主に股間の部分の開放性に優れており、オムツの交換の操作性に優れているものの、介護着それ自体の全体としての着脱の困難性は解決されない。また、ここで用いられているファスナは、従来と同様のファスナであって、下方から上方に向かって引くと閉じるようになっている。このようなファスナは、逆に上方から下方へ引くと開かれることになり、ロック機構を設けていないファスナの場合には、被介護者や患者が自分でファスナを開いてしまうことになる。
【０００７】
また、従来の介護着は、各種のチューブやケーブル等を挿通する穴がないために、これらのチューブやケーブルを介護着の内側から引出す際には、袖口等から引出さなければならず、不便であった。また、点滴の際には、一方の袖をまくり上げて行わなければならず、被介護者や患者が点滴針を自己抜去する問題があった。
【０００８】
本願考案は、上述のような従来の介護着の問題となる各種の欠点を解消するようにした介護着を提供するものである。
【課題を解決するための手段】
【０００９】
本願の主要な考案は、前身頃と後身頃とが両側の袖の下側から胴の左右両側部を経て足の先まで分かれ、該分かれた部分に沿って連続する第１のファスナが取付けられ、前記前身頃が首の中央部から腹部にかけて切込まれ、該切込まれた部分に沿って第２のファスナが取付けられ、前記前身頃と前記後身頃とが足の内側の左側の足の先から右側の足の先まで分かれ、該分かれた部分に沿って連続する第３のファスナが取付けられ、前記第１のファスナと前記第２のファスナとのそれぞれが、これらのファスナのスライダを上方に引くと開きかつ下方に押すと閉じるように構成されている介護着に係るものである。
【００１０】
ここで、
（ａ）左右両側の袖のそれぞれの前側の部分、胴の前側の部分および左右両側の足のそれぞれの前側の部分がそれぞれ連設されている前記前身頃と、前記左右両側の袖のそれぞれの後側の部分、前記胴の後側の部分および前記左右両側の足のそれぞれの後側の部分がそれぞれ連設されている前記後身頃とが、互いに分離可能に構成されていること、
（ｂ）前記前身頃の左側の袖の袖口の下側端から前記前身頃の胴の左側端を通って前記前身頃の左側の足の足口の左側端に至るまでの第１の縁部分と、前記後身頃の左側の袖の袖口の下側端から前記後身頃の胴の左側端を通って前記後身頃の左側の足の足口の左側端に至るまでの第２の縁部分とが、前記第１のファスナのうちの第１の左側ファスナによって、互いに分離可能に結合されていること、
（ｃ）前記前身頃の右側の袖の袖口の下側端から前記前身頃の胴の右側端を通って前記前身頃の右側の足の足口の右側端に至るまでの第３の縁部分と、前記後身頃の右側の袖の袖口の下側端から前記後身頃の胴の右側端を通って前記後身頃の右側の足の足口の右側端に至るまでの第４の縁部分とが、前記第１のファスナのうちの第１の右側ファスナによって、互いに分離可能に結合されていること、
（ｄ）前記前身頃の首の部分の中央部の上端から腹部にかけて下方に向かって切り込まれることによって、前記首の部分の上端に連なっている切り込みが前記前身頃に設けられていること、
（ｅ）前記切り込みの左側の縁部と前記切り込みの右側の縁部とが、前記第２のファスナによって、互いに分離可能に結合されていること、
（ｆ）前記前身頃の左側の足の足口の内側の縁部から左側の足の内側の縁部および右側の足の内側の縁部をそれぞれ通って前記前身頃の右側の足の足口の内側の縁部に至るまでの第５の縁部分と、前記後身頃の左側の足の足口の内側の縁部から左側の足の内側の縁部および右側の足の内側の縁部をそれぞれ通って前記後身頃の右側の足の足口の内側の縁部に至るまでの第６の縁部分とが、前記第３のファスナによって、互いに分離可能に結合されていること、
（ｇ）前記前身頃の左側の袖の上側の縁部における前記首の部分から左側の袖の袖口の先端までの第７の縁部分と、前記後身頃の左側の袖の上側の縁部における前記首の部分から左側の袖の袖口の先端までの第８の縁部分とが、第４のファスナのうちの第４の左側ファスナによって、互いに分離可能に結合されていること、
（ｈ）前記前身頃の右側の袖の上側の縁部における前記首の部分から右側の袖の袖口の先端までの第９の縁部分と、前記後身頃の右側の袖の上側の縁部における前記首の部分から右側の袖の袖口の先端までの第１０の縁部分とが、前記第４のファスナのうちの第４の右側ファスナによって、互いに分離可能に結合されていること、
（ｉ）前記第１の左側ファスナ、前記第１の右側ファスナ、前記第３のファスナ、前記第４の左側ファスナおよび前記第４の右側ファスナのいずれもが開かれたときに、前記後身頃に対して前記前身頃を分離可能な状態になし得るように構成されていること、
を上記介護着にそれぞれ具備させることができる。このように構成すると、前身頃が後身頃から完全に分離される。
【００１１】
また、前記第１のファスナ、前記第２のファスナ、前記第３のファスナおよび前記第４のファスナのそれぞれのスライダにリング状の取手が取付けられている構成にすると、リング状の取手によってスライダを移動させて開閉を行ない得るようになる。
【００１２】
また、袖および足の長さが手首および足首までそれぞれ延びており、手首および足首の部分にそれぞれボタンが取付けられている構成にすると、着用する被介護者や患者の冷えを防止し、ボタンの着脱によって手首および足首の部分を開閉することができる。
【００１３】
また、体の大きさに対する介護着の寸法を、大、中および小にサイズ分けしたときの標準サイズよりもそれぞれ１サイズ大きくし、しかも、股上にゆとりをもたせた構成にすると、ゆったりとした介護着になる。
【００１４】
また、前記第２のファスナが取付けられている前記切込みの側方にアクセスホールが設けられるとともに、該アクセスホールの下側にポケットが設けられている構成にすると、アクセスホールによってチューブやケーブルを引出すことが可能になる。また、アクセスホールの下側のポケットに各種の測定器を収納することができる。
【００１５】
また、前記前身頃および前記後身頃のそれぞれの内側にコットン製の裏地が縫付けられている構成にすると、被介護者や患者の汗等を吸収して、被介護者や患者の汗疹やかぶれを防止することができる。
【００１６】
また、裏地がパイルまたはメッシュである構成にすると、とくに夏期あるいは暑い雰囲気での快適な使用が可能な介護着を提供することができる。
【考案の効果】
【００１７】
本願考案によると、被介護者や患者の身体の自由度を奪うことなく、しかも、介護者が介護着を被介護者や患者に対して容易に着せたり脱がしたりすることができる。また、ファスナを従来のものとは逆の方向に操作しないと開閉できないようにしているために、ファスナに施錠を必要とすることがなく、ロック機構を備えないファスナとすることが可能になる。また、介護着の左右両側が完全に開かれるようになっているために、床ずれ等の処理が容易になる。
【図面の簡単な説明】
【００１８】
【図１】本願考案の一実施の形態に係る介護着を開いたときの平面図である。
【図２】同介護着の使用状態を説明する平面図である。
【図３】首の中央から腹部にかけての切込みの部分を開いた状態の図１と同様の平面図である。
【図４】変形例の介護着の開いた状態の平面図である。
【図５】冬用（Ａ）、春秋用（Ｂ）および夏用（Ｃ）の介護着の素材の断面図である。
【考案を実施するための形態】
【００１９】
以下、本願考案を図示の実施の形態によって説明する。
【００２０】
図１は、本実施の形態に係る介護着の開いた状態の平面図を示しており、この介護着は、前身頃１１と後身頃１２とを備え、これらが上端の肩の部分において互いに連結した構造になっている。そして、前身頃１１と後身頃１２とには、左右に延びる袖１５、１６がそれぞれ連設されている。また、前身頃１１と後身頃１２との中間部が胴１７になっている。そして、下端側には、左右側方に延びるように、左側の足の部分１９と右側の足の部分２０とがそれぞれ連設されている。
【００２１】
上記袖１５、１６の先端側の部分が、帯状に縫込まれた袖口２３になっており、この袖口２３の両端は、ボタン２４によって互いに連結されている。足の部分１９、２０の先端側の部分についても、ベルト状に縫込まれた足口２７が取付けられている。足口２７の両端には、ボタン２８が取付けられており、これによって、足口２７の両端を結合している。
【００２２】
前身頃１１と後身頃１２との分割位置であって、袖１５、１６の下側の部分から胴１７の両側の部分を経由して足の部分１９、２０の側部に沿って、第１のファスナ３１、３２がそれぞれ取付けられている。また、前身頃１１の首の中央部から下方に向かって腹部に至る部分には、切込み３５が形成され、この切込み３５には、第２のファスナ３６が取付けられている。また、足１９、２０の内側の部分においては、左側の足の部分１９の先端部から右側の足の部分２０の先端部まで連続するように、第３のファスナ３８が取付けられている。これら第１のファスナ３１、３２、第２のファスナ３６および第３のファスナ３８のそれぞれには、開閉のために、スライダ４１が長さ方向に沿って摺動自在に取付けられている。そして、スライダ４１には、リング状の取手４２が取付けられており、この部分をつまんで開閉を行なうようにしている。ここで、とくに第１のファスナ３１、３２および第２のファスナ３６は、リング状の取手４２によりスライダ４１を下端から上方に移動させることによって、開かれるとともに（図３参照）、スライダ４１を上端から下端に向かって下方に移動させると閉じるように構成されている。すなわち、通常の衣類に取付けられているファスナとは、開閉の際におけるスライダ４１の移動方向が逆になっている。
【００２３】
また、この介護着は、図１および図２に示すように、前身頃１１の胸部に縦長のアクセスホール４５が形成されている。そして、このようなアクセスホール４５の下側には、ポケット４６が前身頃１１の外表面において取付けられている。ここで、左側のアクセスホール４５は、例えば図２に示すように、点滴針５０が先端に接続されたチューブ５１を引出すのに用いられる。また、右側のアクセスホール４５は、例えば被介護者の胸の部分に装着される心拍センサ５２から引出されたセンサケーブル５３を挿通させるのに用いられる。なお、センサケーブル５３の外側の端部に接続される心拍計５４は、左側のポケット４６に収納されることができる。
【００２４】
図４は、変形例の介護着を示している。この介護着は、前身頃１１と後身頃１２とが完全に分離された構造になっており、袖１５、１６の上端であって肩から手首に沿う部分についても、前身頃１１と後身頃１２とが分割されている。そして、前身頃１１と後身頃１２との上端側の部分には、第４のファスナ５７、５８がそれぞれ取付けられている。なお、これらのファスナ５７、５８のスライダ４１にも、上記実施の形態と同様のリング状の取手４２が取付けられている。また、第４のファスナ５７、５８は、リング状の取手４２によりスライダ４１を袖口２３から首の方に移動させることによって、開かれるようになるとともに、首の部分から袖口２３の部分に移動させると、閉じられるようになっている。
【００２５】
図５は、上述のような介護着を構成する前身頃１１と後身頃１２との生地の組成を示している。冬物の介護着の場合には、図５（Ａ）に示すように、表地６１と裏地６２との間にさらに中綿６４を介装しており、これらをキルティング等の方法によって互いに縫合わせた構造になっている。なお、裏地１１の表面には、パイル６３が形成される。
【００２６】
春物あるいは秋物の場合には、図５（Ｂ）に示すように、表地６１と、パイル６３を備える裏地６２とが、直接に縫合されて用いられる。また、夏物の場合には、図５（Ｃ）に示すように、表地６１の裏側にメッシュ裏地６５が取付けられ、メッシュ裏地６５によって通風を確保し、これによって、暑さを軽減するようにしている。
【００２７】
本願考案の上述の各実施の形態による介護着は、前身頃１１と後身頃１２との両側の部分、胸の切込み３５の部分、および両側の足の部分１９、２０の下側部分にそれぞれ沿って、第１のファスナ３１、３２、第２のファスナ３６、および第３のファスナ３８を設けるようにしている。また、図４に示す変形例の構成においては、さらに、前身頃１１と後身頃１２の上端側の部分であって肩から左右の袖１５、１６の上縁に沿って、第４のファスナ５７、５８を取付けている。従って、被介護者の着替え時の着脱が容易になり、被介護者や看護士にとって非常に便利で着心地のよい介護着になる。また、前身頃１１と後身頃１２との両側に第１のファスナ３１、３２をそれぞれ取付けたことによって、側方が開放されて着脱がし易くなるとともに、仏骨にできた床ずれ等の処置を容易に行なうことができるようになる。
【００２８】
また、上記第１のファスナ３１、３２、第２のファスナ３６および第４のファスナ５７、５８については、通常の着衣に取付けられているファスナとはその開閉の方向を逆にして、上端位置から下方に押下げることによって閉じるとともに、下端側から上方に引上げることによって開かれるようにしている。このような構成にすると、被介護者が自らファスナを移動させて開くことができ難くなるために、ファスナ３１、３２、３６および５７、５８のそれぞれのスライダ４１にロック機構を設けることを必要としなくなり、これによって、ロック機構のないファスナを利用することが可能になる。
【００２９】
また、この介護着に用いられているファスナ３１、３２、３６、３８および５７、５８は、何れも頑丈なファスナを利用している。これらのファスナ３１、３２、３６、３８、５７、５８をともに丈夫なファスナとすることによって、頻繁にクリーニングを行なっても壊れ難くなり、長持ちする介護着になる。しかも、スライダ４１の部分には、リング状の取手４２が設けられているために、開閉の操作が容易になる。また、スライダ４１のリング状の取手４２によって、被介護者に対する刺激も減少するようになる。
【００３０】
また、この介護着は、その寸法を従来の介護着よりも大きめにしており、これによって、被介護者の体の移動や運動を妨げないようにしている。ゆとりの程度は、現在のＳサイズをＭサイズに、ＭサイズをＬサイズに、ＬサイズをＬＬサイズに、３Ｌサイズを４Ｌサイズにする等のように、サイズ分けしたときの標準サイズよりも１ランク大きいサイズに設定し、これによって、全体にゆとりをもたせることにより、被介護者が介護着を着たままで体を比較的自由に移動できるようにしている。従って、被介護者のリハビリ等の運動を妨げることがない。
【００３１】
さらに、この介護着は、第３のファスナ３８が取付けられている足の部分１９、２０の下側の付根の部分における股上にゆとりをもたせるようにしており、窮屈防止介護着としている。股上にゆとりをもたせることによって、オムツをしても股間に窮屈感を感じないようになる。
【００３２】
また、この介護着は、前身頃１１と後身頃１２との袖１５、１６の長さを手首までとしている。これによって、冷え防止の介護着になっている。すなわち、袖１５、１６を長袖にすることによって、被介護者を冷気から守れるようになる。また、袖１５、１６が手首まで延びる寸法になっていると、被介護者が点滴針５０等を自己抜去できなくなる利点を生ずる。
【００３３】
さらに、この介護着は、手首および足首にそれぞれボタン２４、２８を取付けるようにし、これによって、被介護者が自ら介護着を脱いでしまうことを防止している。また、介護着を脱いでしまった後に、被介護者あるいは患者が点滴針５０を自ら取ってしまうことも防止でき（図２参照）、とくに、点滴を行なう患者に好適な介護着となる。
【００３４】
また、この介護着は、図２に示すように、その前身頃１１の胸の左右の部分にボタン穴形状のアクセスホール４５とその下側のポケット４６とをそれぞれ設けている。これによって、チューブ５１やセンサケーブル５３等を袖口２３や足口２７から引出すことなく、アクセスホール４５にまとめることが可能になる。また、アクセスホール４５と対で設けられているポケット４６によって、その中に心拍センサ５２等の受信機を挿入保持することが可能になる。
【００３５】
また、この介護着は、図５に示すように、冬物（Ａ）および春秋物（Ｂ）においては、その内側にコットンの素材のパイル６３を有する裏地６２を縫付けるようにしており、これによって、肌に対する刺激を低減するとともに、汗等を吸収して、被介護者や患者が湿疹やかぶれ等になってしまうことを防止するようにしている。また、夏用の介護着の場合には、図５（Ｃ）に示されるように、メッシュ裏地６５を内側に装着し、これによって、涼しさを感ずるようにして快適感を向上させるようにしている。
【００３６】
以上、本願考案を図示の実施の形態によって説明したが、本願考案は、上記実施の形態によって限定されることなく、本願考案の技術的思想の範囲内において各種の変更が可能である。例えば、この介護着を構成する素材の構成については、図５に示されるものに必ずしも限定されることはなく、要求される性能や状況に応じて、各種の素材を用いることができる。
【産業上の利用可能性】
【００３７】
本願考案は、介護施設や病院で介護を受ける被介護者や治療を受ける患者が着用する介護着として、利用することができる。
【符号の説明】
【００３８】
１１  前身頃
１２  後身頃
１５  袖（左）
１６  袖（右）
１７  胴
１９  足の部分（左）
２０  足の部分（右）
２３  袖口
２４  ボタン
２７  足口
２８  ボタン
３１、３２  第１のファスナ
３５  切込み
３６  第２のファスナ
３８  第３のファスナ
４１  スライダ
４２  リング状の取手
４５  アクセスホール
４６  ポケット
５０  点滴針
５１  チューブ
５２  心拍センサ
５３  センサケーブル
５４  心拍計
５７  第４のファスナ（左）
５８  第４のファスナ（右）
６１  表地
６２  裏地
６３  パイル
６４  中綿
６５  メッシュ裏地
【図１】
0003183558.tif 000003
【図２】
0003183558.tif 000004
【図３】
0003183558.tif 000005
【図４】
0003183558.tif 000006
【図５】
0003183558.tif 000007